(57)【要約】【課題】防水構造の端末装置が水上でも効果的に使用できるようにする。【解決手段】防水構造とされた筐体を備えた携帯型無線通信装置とする。そして、筐体内に無線通信処理部を備えて無線通信ができると共に、制御部の制御で、装置の動作モードを通常用のモードと水中用又は水上用のモードとの内の選択されたモードに設定するにした。水中用又は水上用のモードを有することで、例えば端末装置が水中又は水上にある場合に、その状態での使用に適した動作モードとすることができ、水中や水上での使い勝手を向上させることができる。【選択図】図３
2010283540.tif 000002
【特許請求の範囲】
【請求項１】
防水構造とされた筐体と、
前記筐体内に配置された無線通信処理部と、
装置の動作モードを通常用のモードと水中用又は水上用のモードとの内の選択されたモードに設定する制御部とを備えた
携帯型無線通信装置。
【請求項２】
前記筐体に配置され、前記筐体が水中又は水上であることを検出するセンサを備え、
前記制御部は、前記センサが水中又は水上であることを検出した場合に、前記水中用又は水上用のモードを設定し、前記センサが水中又は水上を検出しない場合に、前記通常用のモードを設定する
請求項１記載の携帯型無線通信装置。
【請求項３】
前記水中用又は水上用のモードが設定されたとき、前記制御部は、無線通信での着信又は受信を通知する着信音を、通常モード時とは異なる状態で出力させる
請求項１記載の携帯型無線通信装置。
【請求項４】
無線通信での着信又は受信を、筐体を振動させて通知するバイブレータを備え、
前記水中用又は水上用のモードが設定されたとき、前記制御部は、前記バイブレータを通常モード時とは異なる振動状態とするようにした
請求項１記載の携帯型無線通信装置。
【請求項５】
前記水中用又は水上用のモードでの前記バイブレータの振動で、水面に所定の波紋を形成させるようにした
請求項４記載の携帯型無線通信装置。
【請求項６】
前記筐体の所定面に凸部又は凹部を連続して配置し、
前記凸部又は前記凹部が配置された面を水中とした状態で、前記水中用又は水上用のモードでの前記バイブレータを振動させることで、水面に浮かんだ前記筐体を所定の方向に回転又は進行させる
請求項４記載の携帯型無線通信装置。
【請求項７】
前記筐体の所定位置を照明させる照明部を備え、
前記制御部は、前記通常用のモードでの照明状態と、前記水中用又は水上用のモードでの照明状態とを変化させる
請求項１記載の携帯型無線通信装置。
【発明の詳細な説明】
【技術分野】
【０００１】
本発明は、例えば携帯電話端末装置に適用して好適な携帯型無線通信装置に関し、特に防水構造の携帯型無線通信装置に関する。
【背景技術】
【０００２】
従来、携帯電話端末装置の如き通信装置として、防水構造のものが提案され、実用化されている。この防水構造の端末装置の場合には、端末装置本体を構成する筐体内部に水が入らないように、筐体の接合部やキー，端子などの配置箇所を防水構造としてある。この防水構造の端末装置を使うことで、例えば海岸や水辺、スキー場などで携帯電話端末装置を使用でき、使い勝手が向上する。
特許文献１には、防水構造の携帯電話端末装置の一例についての記載がある。
【先行技術文献】
【特許文献】
【０００３】
【特許文献１】特開２００４−１７２６７７号公報
【発明の概要】
【発明が解決しようとする課題】
【０００４】
従来の防水型の携帯電話端末装置は、上述したように基本的に端末装置に水がかかることがあっても、端末装置内部に水が侵入しないことを目的としてあり、例えば風呂の中やプール内のような水中で使用することは考慮されていない。従って、防水型といっても限られた使い方しかできない問題があった。
【０００５】
本発明はかかる点に鑑み、防水構造の端末装置が水上や水中でも効果的に使用できるようにすることを目的とする。
【課題を解決するための手段】
【０００６】
本発明は、防水構造とされた筐体を備えた携帯型無線通信装置としたものである。
そして、筐体内に無線通信処理部を備えて無線通信ができると共に、制御部の制御で、装置の動作モードを通常用のモードと水中用又は水上用のモードとの内の選択されたモードに設定するにした。
【０００７】
水中用又は水上用のモードを有することで、例えば端末装置が水中又は水上にある場合に、その状態での使用に適した動作モードとすることができ、水中や水上での使い勝手を向上させることができる。
【発明の効果】
【０００８】
本発明によると、水中や水上での使い勝手を向上させた専用の動作モードを設けたので、水中又は水上で無線通信装置を良好に使えるようになる。例えば、水上での着信などが判りやすい動作モードにするようなことが可能となる。
【図面の簡単な説明】
【０００９】
【図１】本発明の第１の実施の形態の携帯型無線通信装置の例を示した斜視図である。
【図２】本発明の第１の実施の形態の携帯型無線通信装置の内部構成例を示すブロック図である。
【図３】本発明の第１の実施の形態の携帯型無線通信装置の動作モードの設定例を示したフローチャートである。
【図４】本発明の第１の実施の形態の携帯型無線通信装置を振動させた波紋の例（例１）を示した説明図である。
【図５】本発明の第１の実施の形態の携帯型無線通信装置を振動させた波紋の例（例２）を示した説明図である。
【図６】本発明の第２の実施の形態の携帯型無線通信装置の例を示した斜視図である。
【図７】図６例の携帯型無線通信装置を分解して示した分解斜視図である。
【図８】本発明の第２の実施の形態の携帯型無線通信装置を水に浮かべた状態の例の説明図である。
【図９】本発明の第２の実施の形態の携帯型無線通信装置が水面移動する例を示した説明図である。
【図１０】本発明の第２の実施の形態の携帯型無線通信装置の変形例を示した斜視図である。
【図１１】図１０例の携帯型無線通信装置を水に浮かべた状態の例の説明図である。
【図１２】図１０例の携帯型無線通信装置が水面移動する例を示した説明図である。
【発明を実施するための形態】
【００１０】
以下の順序で本発明の実施の形態について説明する。
１．第１の実施の形態の携帯電話端末装置の構成（図１，図２）
２．第１の実施の形態の携帯電話端末装置の制御モード設定例（図３）
３．水面に浮かべた状態での動作例（図４，図５）
４．第２の実施の形態の携帯電話端末装置の構成（図６，図７）
５．水面に浮かべた状態での動作例（図８〜図１２）
６．変形例の説明
【００１１】
［１．第１の実施の形態の携帯電話端末装置の構成（図１，図２）］
まず、図１及び図２を参照して、本発明の第１の実施の形態の例による無線通信端末装置の構成について説明する。本実施の形態の例においては、基地局等と無線通信を行って無線電話回線に接続される携帯電話端末装置に適用した例である。
【００１２】
図１は、携帯電話端末装置１００の形状を示し、図１（ａ）は表面側を示し、図１（ｂ）は裏面側を示す。本実施の形態の例の携帯電話端末装置１００は、防水構造としてあり、かつ水に浮く構成としてある。このため、携帯電話端末装置１００の筐体は、防水用の構造としてある。ここでは防水構造の詳細は省略するが、従来からこの種の小型の端末装置に適用されている各種防水構造が適用可能である。
【００１３】
携帯電話端末装置１００の表面には、表示部１０３を構成する表示パネルが配置してあり、文字，数字，画像などの表示が行われる。また表面には、操作部１０４を構成する複数の操作キーが配置してあり、操作キーが押されることで電話端末としての動作が行われる。また、携帯電話端末装置１００の表面側には、第１の水検知センサ１４１を配置してあり、裏面側には、第２の水検知センサ１４２が配置してある。この水検知センサ１４１は、端末装置１００を水面に浮かべたときに、そのことを検知するセンサであり、例えば水の圧力を検出するセンサや、水面からの反射を検出するセンサなど、各種方式のものが適用可能である。図１に示すように表面と裏面の両面にセンサ１４１，１４２を配置したことで、いずれの面を上にして浮かべた状態でも、検出することが可能である。
【００１４】
図２は、本実施の形態の例の携帯電話端末装置１００の内部構成を示すブロック図である。
図２に示した構成について説明すると、携帯電話端末装置１００は、中央制御ユニット（ＣＰＵ）として構成された制御部１０１を備え、その制御部１０１が制御ライン１５０を介して各部の制御を行う。制御を行う上で必要なデータ（プログラム）については、メモリ１０５に記憶させてある。後述する水面モードを設定した際の動作についても、このメモリ１０５に記憶されたプログラムに基づいて設定される。
また、制御ライン１５０とは別に、音声データなどを伝送させるためのデータライン１６０についても備える。制御部１０１には、操作部１０４からの操作指令が供給される。操作部１０４としては、例えば操作キーを構成するボタンと、そのボタンが押された際に切り替わるスイッチが配置された基板などで構成される。
【００１５】
また携帯電話端末装置１００は、携帯電話端末として基地局などと無線通信を行う通信回路１０２を備え、通信回路１０２にアンテナ１０６が接続してある。この通信回路１０２で受信したデータの内の音声データは、音声処理回路１０７に送って復調などを行い、復調されたアナログ音声信号をスピーカ１０８に供給して出力させる。また、マイクロフォン１０９が拾った音声信号を音声処理回路１０７に供給して、伝送用に変調し、変調された音声データを、通信回路１０２に供給して、基地局側に無線送信させる。
【００１６】
また携帯電話端末装置１００は、近距離通信回路１１０を備える。近距離通信回路１１０にはアンテナ１１１が接続してある。この近距離通信回路１１０は、例えばＢｌｕｅｔｏｏｔｈ（商標）と称される無線通信方式に準拠した通信回路としてあり、図示しないＢｌｕｅｔｏｏｔｈ用のヘッドセットなどと通信を行う。
【００１７】
また、メールデータ、ウェブの閲覧画面のデータ、ダウンロードした画像データや音楽データなどの各種データを通信回路１０２で受信した場合には、それらのデータをメモリ１０５に記憶させ、画像表示や音楽再生などを行う。
これらの受信したデータによる画像表示や、携帯電話端末として必要な発信時や着信時の表示、電話帳表示などを行うために、表示部１０３を備える。表示部１０３としては、例えば液晶表示パネル、有機ＥＬ（Organic Electro-Luminescence）表示パネルなどの各種方式の表示パネルが適用可能である。
【００１８】
また本例の携帯電話端末装置１００は、電源としてリチウムイオン電池などで構成される二次電池１２１を備える。この二次電池１２１の充放電は、充放電制御部１２０により制御される。ここで、本例の場合には、端末装置１００が充電用コイル１２２を備える構成として、非接触で充電が可能な構成としてある。
充電用コイル１２２は、例えば携帯電話端末装置１００の裏面側に配置して、図示しない充電器側のコイルと近接させることで、充電器から電力の供給を受けて、二次電池１２１を充電させる。
【００１９】
また本例の携帯電話端末装置１００は、バイブレータ１３１を備え、着信時やメール受信時などに、携帯電話端末装置１００自身を振動させるようにしてある。バイブレータ１３１は、制御部１０１からの駆動信号の供給で振動する。その振動状態としては、例えば往復振動するタイプのものや、回転部材の偏心した位置に重りが取り付けられて、円形に振動するタイプのものなどがあり、いずれもものも適用可能である。
【００２０】
また先に説明した第１の水検知センサ１４１及び第２の水検知センサ１４２が配置してあり、それぞれの検出出力を制御部１０１が判断する構成としてある。
【００２１】
［２．第１の実施の形態の携帯電話端末装置の制御モード設定例（図３）］
次に、各水検知センサ１４１，１４２の検出出力に基づいて、制御部１０１が設定する動作モードについて説明する。ここでは、動作モードとして、通常の携帯電話端末として作動させる通常モードと、水中（又は水面）での使用に適した水中モードとの２つのモードを用意する。
そして、例えば携帯電話端末装置１００の電源が投入された状態では、定期的に２つの水検知センサ１４１，１４２の検出状態を制御部１０１が監視する。そして、第１の水検知センサ１４１が水を検知したか否か判断する（ステップＳ１１）。この判断で、水を検知しない場合には、第２の水検知センサ１４２が水を検知したか否か判断する（ステップＳ１２）。そして、両水検知センサ１４１，１４２のいずれか一方で水を検知した場合には、制御部１０１が水中モードを設定する（ステップＳ１３）。水中モードで行われる処理状態については後述する。
【００２２】
この水中モードを設定した状態で、両水検知センサ１４１，１４２で水を検知しなくなったか否か判断し（ステップＳ１４）、水を検知し続ける限り、ステップＳ１３の水中モードを続ける。
そして、ステップＳ１４で水を検知しなくなったと判断した場合には、ステップＳ１５に移行して通常モードとする。また、ステップＳ１２で第２の水検知センサ１４２が水を検知しない場合にも、ステップＳ１５に移行して通常モードとする。その後、ステップＳ１１の判断に戻る。
【００２３】
このようにモードの設定処理が行われることで、端末装置１００が水上又は水中にある場合にだけ、水中モードが設定されるようになる。
【００２４】
次に、水中モードを設定した際の動作の例について説明する。
水中モードでの動作としては、以下の各例が考えられる。
【００２５】
例１）
音声処理回路１０７での処理状態として、水中又は水上での出力に適した状態とする。具体的には、例えば、スピーカ１０８での音声出力を比較的大きくして、水中又は水上で伝わりやすい音声とする。また例えば、マイクロフォン１０９の感度についても、水中又は水上で音声を拾いやすい感度に設定する。これらの出力状態や感度は、水中モード時には予め決められた値に固定するようにしてもよい。通常モード時には、これらの設定は、ユーザ操作で自由に調整した値が設定される。
また、着信やメール受信などを知らせる音を、通常モード時と水中モード時とで異なる音（メロディなど）にする。
【００２６】
例２）
表示部１０３での表示状態として、水中又は水上での出力に適した状態とする。具体的には、例えば、水中や水上でも表示が見やすいように、表示サイズの制御を行って、比較的大きな文字や画像として表示させる。また例えば、バックライトの発光輝度や表示素子の発光輝度を制御して、水中や水上で見やすい表示状態を設定する。通常モード時には、これらの表示サイズや表示輝度についても、ユーザ操作で設定した状態とし、水中モード時には、水中に適した固定値とする。
【００２７】
例３）
図２の構成には示していないが、着信などを通知するランプなどの照明手段を端末装置１００に設けて、着信やメール受信があった際に、そのランプの点灯色や点滅パターンなどを、水中モード時と通常時で変化させる。水中モード時には、特に目立つような点灯色や点滅パターンとする。
【００２８】
例４）
着信やメール受信などを振動で通知するバイブレータ１３１の振動パターンや出力を、水中モード時に、通常モードでの振動パターンから変化させる。具体的には、端末装置１００を水に浮かべた状態で、端末装置１００自身の振動で、水面に特定の波紋を発生させて、着信などが判るようにする。
通常モード時には、端末装置１００を所持しているユーザに、端末装置自身の振動で着信を知らせるのに適した振動パターンや出力で振動させる。
【００２９】
［３．水面に浮かべた状態での動作例（図４，図５）］
ここで、例４のバイブレータ１３１の振動パターンや出力を変化させる場合の例について、図４及び図５を参照して説明する。
図４の例は、バイブレータ１３１を一定の状態で連続して駆動した例である。図４（ｂ）は、バイブレータ１３１が振動する波形を示し、連続的に駆動するようにしてある。駆動出力についても、端末装置１００を水に浮かべた状態で、水面に波紋を発生させるのに十分な出力としてある。
【００３０】
このようにバイブレータ１３１を駆動することで、図４（ａ）に示すように、水に浮いた携帯電話端末装置１００を中心として、同心円状に広がっていく波紋Ｘ１，Ｘ２，Ｘ３・・・が次々に発生する。この例では、比較的短い間隔で各波紋Ｘ１，Ｘ２，Ｘ３・・・が発生する。
【００３１】
図５は別の発生例を示した図である。この図５の例は、バイブレータ１３１を間欠的に駆動した例である。図５（ｂ）は、バイブレータ１３１が振動する波形を示し、連続的に動かす状態と、休止させる状態とを交互に行う駆動状態としてある。駆動出力についても、端末装置１００を水に浮かべた状態で、水面に波紋を発生させるのに十分な出力としてある。
【００３２】
このようにバイブレータ１３１を駆動することで、図５（ａ）に示すように、水に浮いた携帯電話端末装置１００を中心として、同心円状に広がっていく波紋Ｘ１１，Ｘ１２，・・・が、ある程度の間隔で次々に発生する。
【００３３】
この図４（ａ）に示した駆動状態と、図５（ａ）に示した駆動状態とは、水中モード時にいずれか一方を選択してもよいが、水中モード時に告知した状態に応じて自動的に制御部１０１が選ぶようにしてもよい。例えば、電話の着信時には、図５のパターンで通知し、メール受信時には、図６のパターンで通知するようにしてもよい。
【００３４】
以上説明したように、本例の携帯電話端末装置１００によると、水に浮かべたり、水中である場合には、センサ１４１，１４２でそのことが検知されて、動作モードが対応した状態に自動的に変化する。従って、ユーザは何等操作をすることなく、水中や水上で使いやすい状態に自動的に変化し、水中でも水中以外でもいずれの状況でも最適な動作モードになる。
【００３５】
なお、図３のフローチャートでは、センサ１４１，１４２の検出出力に応じて、自動的に水中モードが設定されるようにしたが、センサ１４１，１４２は端末装置１００に設けない構成として、ユーザ操作で水中モードと通常モードを選択できるようにしてもよい。この場合には、例えば表示部１０３に表示されるメニュー画面中に、そのモード選択を行う項目を用意すればよい。或いは、水中モードのオン・オフ操作を行う専用の操作キーを設けても良い。
【００３６】
［４．第２の実施の形態の携帯電話端末装置の構成（図６，図７）］
次に、本発明の第２の実施の形態の例を、図６〜図１２を参照して説明する。
本実施の形態の例についても、携帯電話端末装置に適用したものであり、図６以降の図において、第１の実施の形態の例で説明した図１〜図５に対応する部分には同一符号を付す。本実施の形態の場合には、端末装置の形状に特徴を有しており、端末装置の内部構成については、基本的に図２に示した端末装置１００と同じである。
【００３７】
図６は、本実施の形態の例の携帯電話端末装置１００′の形状を示した図であり、図６（ａ）は表面側を示し、図６（ｂ）は裏面側を示す。本実施の形態の例の携帯電話端末装置１００′についても、防水構造としてあり、かつ水に浮く構成としてある。このため、携帯電話端末装置１００′の筐体は、防水用の構造としてある。即ち、携帯電話端末装置１００′は、第１筐体２００と第２筐体３００とを接合した形状としてある。
【００３８】
図６（ａ）に示すように、携帯電話端末装置１００の表面には、表示部１０３を構成する表示パネルが配置してあり、文字，数字，画像などの表示が行われる。また表面には、操作部１０４を構成する複数の操作キーが配置してあり、操作キーが押されることで電話端末としての動作が行われる。これらの表示部１０３及び操作部１０４に対応した筐体表面には、窓部２０１，２０２を設けてある。窓部２０１，２０２は、開口させるのではく、透明な部材で覆う構成として、防水性を確保してもよい。
【００３９】
筐体２００の表面には、スピーカ配置部２０３とマイクロフォン配置部２０４とセンサ配置部２０５とを設けてある。スピーカ配置部２０３には、図２に示したスピーカ１０８が配置される。マイクロフォン配置部２０４には、図２に示したマイクロフォン１０９が配置される。センサ配置部２０５には、第１の水検知センサ１４１が配置される。
【００４０】
図６（ｂ）に示すように、携帯電話端末装置１００の裏面には、凸状部材である多数のフィン３１１を配置してある。また裏面にセンサ配置部３０２を設けてあり、第２の水検知センサ１４２が配置される。
【００４１】
裏面に設けた多数のフィン３１１は、突起させる部材の方向を傾けて配置してあり、中心位置から一方と他方とで、その傾ける方向を変えてある。
【００４２】
図７は、携帯電話端末装置１００′を分解して示した図である。基板１３０に表示部１０３や操作部１０４などの図２に示した各部材を取り付けてあり、その基板１３０と各部材とが、第１筐体２００と第２筐体３００との間の収納部３１０に納められた状態で、防水状態に組み立てられる。基板１３０には、バイブレータ１３１′が取り付けてある。
【００４３】
そして本例の携帯電話端末装置１００′の場合にも、センサ１４１，１４２の検出出力などに基づいて、通常動作モードと水中モード（水上モード）とを自動的、又はユーザ操作で設定されるようにしてある。
【００４４】
［５．水面に浮かべた状態での動作例（図８〜図１２）］
次に、本実施の形態の例の携帯電話端末装置１００′を水中モードとして、水に浮かべた際の動作例について説明する。
本例の携帯電話端末装置１００′は、例えば図８に示したように、フィン３１１を設けた裏面側が水に浸かった状態で、水面Ｗに浮く構成としてある。裏面側が下になるようにするために、例えば端末装置１００′の重心位置を裏面側寄りの位置とするようにしてもよいが、ユーザが手で図８に示した状態に浮かべるようにしてもよい。
【００４５】
この例では、図９に示したように、バイブレータ１３１′として、左右方向に力Ｐ１（図９参照）が働く配置状態としてある。そして、裏面の中心位置から一方寄りと他方寄りとで向きを変えてフィン３１１を配置してあることで、バイブレータ１３１′の振動で、図９（ａ）に回転方向θで示すように水面上に回転するようになり、例えば図９（ｂ）に示すように傾いた位置にすることができる。
水中モード時に、このような動きをするバイブレータ１３１′の振動を行うことで、水面に浮かべた端末装置１００′が回転するようになり、例えば着信やメール受信が、端末装置自体の水面上の動きから判るようになる。
【００４６】
図１０〜図１２は、第２の実施の形態の変形例を示したものである。
この例では、図１０に示したように、携帯電話端末装置１００″の裏面に、同じ方向（ここでは上側）を向いた多数のフィン３１１′を設けた例である。そして、バイブレータ１３１″として、上下方向に力Ｐ２（図１０参照）が働く配置状態としてある。そして、同じ方向にフィン３１１′を多数配置してあることで、バイブレータ１３１″の振動で、図１２に移動方向Ｍで示すように水面上を直線状に上側に移動する。
水中モード時に、このような動きをするバイブレータ１３１″の振動を行うことで、水面に浮かべた端末装置１００′が移動するようになり、例えば着信やメール受信が、端末装置自体の水面上の動きから判るようになる。
【００４７】
なお、図６や図１０の例では、凸状に突起したフィンを多数配置して、水面を移動する構成としたが、逆に裏面に多数の凹状に窪んだ箇所（凹部）を設けて、その凹部の作用で移動させるようにしてもよい。また、図９や図１２の例ではバイブレータが振動時に往復移動するようにしてあるが、同様の方向に力が働くものであれば、回転するタイプのバイブレータとしてもよい。
【００４８】
［６．変形例の説明］
ここまで説明した各例では、携帯電話端末装置に本発明を適用した例について説明したが、携帯電話端末装置以外のその他の各種携帯型無線通信装置に本発明を適用してもよい。
各図に示した構成についても好適な例を示したものであり、図示した構成に限定されるものではない。
【００４９】
また、上述した実施の形態では、図９に示した端末装置の水面上の回転を着信通知時などに行うようにしたが、回転する位置で、何らかの告知をするようにしてもよい。例えば、端末装置内に方位センサを内蔵させて、その端末装置内の方位センサで検出した方位に基づいて、端末装置の上端が向く方向が、常に同じ方位（例えば北など）を向くようにしてもよい。
【符号の説明】
【００５０】
１００，１００′…携帯電話端末装置、１０１…制御部、１０２…通信回路、１０３…表示部、１０４…操作部、１０５…メモリ、１０６…アンテナ、１０７…音声処理回路、１０８…スピーカ、１０９…マイクロフォン、１１０…近距離通信回路、１１１…アンテナ１２０…充放電制御部、１２１…二次電池、１２２…充電用コイル、１３０…基板、１３１，１３１′，１３１″…バイブレータ、１４１…第１水検知センサ、１４２…第２水検知センサ、２００…第１筐体、２０１，２０２…窓部、２０３…スピーカ配置部、２０４…マイクロフォン配置部、２０５…センサ配置部、３００…第２筐体、３０１…収納部、３０２…センサ配置部、３１０…底面、３１１，３１１′…フィン
【図１】
2010283540.tif 000003
【図２】
2010283540.tif 000004
【図３】
2010283540.tif 000005
【図４】
2010283540.tif 000006
【図５】
2010283540.tif 000007
【図６】
2010283540.tif 000008
【図７】
2010283540.tif 000009
【図８】
2010283540.tif 000010
【図９】
2010283540.tif 000011
【図１０】
2010283540.tif 000012
【図１１】
2010283540.tif 000013
【図１２】
2010283540.tif 000014